(57)【要約】【課題】製造が容易で廉価に提供することができるばかりか従来のもののように別体の外包袋を有しておらず、従って、外包袋の処理が必要なく。更に、宣伝広告機能にも優れたポケット型レジ袋を提供する。【解決手段】上方を開口した収容部２１の開口の左右両端に手提げ部２２，２２を上方へ向けてそれぞれ延設して合成樹脂シートにより形成されたレジ袋本体２と、レジ袋本体２の外周面に一辺３１をレジ袋本体２の外周端縁２４に沿わせて且つその一辺３１とレジ袋本体２との間にポケット口３２を形成して固着される透明樹脂シートにより形成されるポケット部３と、ポケット部３内にポケット口３２を介して挿入される表示片４とからなる。【選択図】  図１
2009214908.tif 000002
【特許請求の範囲】
【請求項１】
上方を開口した収容部の前記開口の左右両端に手提げ部を上方へ向けてそれぞれ延設して合成樹脂シートにより形成されたレジ袋本体と、前記レジ袋本体の外周面に一辺を前記レジ袋本体の外周端縁に沿わせて且つその一辺と前記レジ袋本体との間にポケット口を形成して固着される透明樹脂シートにより形成されるポケット部と、前記ポケット部内に前記ポケット口を介して挿入される表示片とからなり、前記レジ袋本体を前記ポケット部へ向けて折り畳み、その折り畳み部を前記ポケット口から前記ポケット内に差し込んで収納することにより全体を前記ポケット部の大きさにするとともに、前記表示片を前記ポケット口からポケット部へ挿入して前記表示片の表示面を前記ポケット部を通して表示させることを特徴とするポケット型レジ袋。
【請求項２】
前記ポケット部がヒートシールにより前記レジ袋本体に固着されている請求項１記載のポケット型レジ袋。
【請求項３】
前記レジ袋本体における前記ポケット部における固着側の横辺に沿って少なくとも前記ポケット部の大きさの面積部分に所望の印刷またはシールがなされていることを特徴とする請求項１または２記載のポケット型レジ袋。
【請求項４】
前記表示片の裏面に複数の分別ゴミの種類が平行に表示した折曲げ線を挟んで表示されており、前記折曲げ線に沿って折り曲げることによりその内の１つを表示可能とすることを特徴とする請求項１，２または３記載のポケット型レジ袋。
【発明の詳細な説明】
【技術分野】
【０００１】
本発明は、従来スーパーマーケットにおいて、買い物をしたときに商品を収容して運搬するために用いられる所謂レジ袋と称される収納袋に関し、特にポケットやカバンに収納するなどして携行性に優れたポケット型レジ袋に関するものである。
【背景技術】
【０００２】
従来、スーパーマーケットやコンビニエンスストアなどで商品を購入する際にレジにおいて商品を収容して持ち帰るための所謂レジ袋が用いられている。
【０００３】
ところで、近頃、省エネルギーや地球温暖化を防止する意味でレジ袋の配布をやめたり、有料化する傾向にあるが、レジ袋は強度が大きいだけでなくきわめて軽量で嵩張らないことから買い物に適しており、また、使用後は、ゴミの収容袋としても再利用されておりきわめて便利である。
【０００４】
そこで、レジ袋の携行を容易にした携帯用レジ袋が例えば特開２０００−２５９０１号公報、特開２００４−１４２９３５号公報などに提示されている。
【０００５】
しかしながら、前記公報に提示されている携帯用のレジ袋は、ポケットティシュのように折り畳んだレジ袋を取り出し口を有する外包袋に収容したものであり、まず第１に外包袋を必要とすることから材料費や製造が煩雑であること、第２に使用後に外包袋が残ることからこれを別途に処分する必要があるなどの問題点がある。
【０００６】
また、前記公報に提示されている携帯用レジ袋は、宣伝用の差し込みカードなどを用いることによりポケットティシュのように広告の媒体に使用したり、販促品やノベルティグッズとして使用することが可能であるが、差し込みカードを予め折り畳んだレジ袋に重ねて外包袋内に収容する構成であり、製造が困難であるばかりか特定の差し込みカード毎に製品を製造する必要があり高価なものとなり兼ねない。
【特許文献１】特開２０００−２５９０１号公報
【特許文献２】特開２００４−１４２９３５号公報
【発明の開示】
【発明が解決しようとする課題】
【０００７】
本発明は、上記のような問題点を解決しようとするものであり、製造が容易で廉価に提供することができるばかりか従来のもののように別体の外包袋を有しておらず、従って、外包袋の処理が必要なく。更に、宣伝広告機能にも優れたポケット型レジ袋を提供するものである。
【課題を解決するための手段】
【０００８】
前記課題を解決するためになされた本発明は、上方を開口した収容部の前記開口の左右両端に手提げ部を上方へ向けてそれぞれ延設して合成樹脂シートにより形成されたレジ袋本体と、前記レジ袋本体の外周面に一辺を前記レジ袋本体の外周端縁に沿わせて且つその一辺と前記レジ袋本体との間にポケット口を形成して固着される透明樹脂シートにより形成されるポケット部と、前記ポケット部内に前記ポケット口を介して挿入される表示片とからなり、前記レジ袋本体を前記ポケット部へ向けて折り畳み、その折り畳み部を前記ポケット口から前記ポケット部内に差し込んで収納することにより全体を前記ポケット部の大きさにするとともに、前記表示片を前記ポケット口からポケット部へ挿入して前記表示片の表示面を前記ポケット部を通して表示させることを特徴とする。
【０００９】
本発明は、レジ袋本体にレジ袋本体を収納するポケット部を一体的に設けたことにより製造を容易にするとともに、従来のような使用後の外包袋の処理も必要なく、更に、宣伝文などを表示した表示片が透明なポケット部の裏面に直接配置することができることから宣伝広告区機能も充分に発揮させることができ、特に、販促品やノベルティグッズとして使用することに適したものとすることができる。
【００１０】
また、本発明において、前記ポケット部がヒートシールにより前記レジ袋本体に固着される場合には、簡単且つ迅速にポケット部を固着することが可能であり、多量生産が可能である。
【００１１】
更に。本発明において、前記レジ袋本体における前記ポケット部における固着側の横辺に沿って少なくとも前記ポケット部の大きさの面積部分に所望の印刷がなされている場合やシールが貼着されている場合には、レジ袋本体を折り畳んでポケット部に収納したとき、表面であるポケット部とともに外面を形成する裏面に前記印刷面が配置されるので、印刷面を宣伝広告や各種の告知文書や図柄などを配置することにより、宣伝効果が高まり、或いは意匠的に優れたものを提供することができる。
【００１２】
更にまた、本発明において、前記表示片の裏面に複数の分別ゴミの種類が平行に表示した折曲げ線を挟んで表示されており、前記折曲げ線に沿って折り曲げることによりその内の１つを表示可能とする場合には、本発明をゴミ袋として使用した場合に内容物を外面に表示することができることから分別した状態で使用することができ、きわめて便利である。
【発明の効果】
【００１３】
このように本願発明であるポケット型レジ袋は、製造が容易で廉価に提供することができるばかりか従来のもののように別体の外包袋を有しておらず、従って、外包袋の処理が必要なく。更に、宣伝広告機能にも優れているなどの諸効果を有するものである。
【発明を実施するための最良の形態】
【００１４】
以下に、図面を参照して本発明を実施するための最良の形態を説明する。
【００１５】
図１乃至図５は本発明の好ましい実施の形態を示すものであり、ポケット型レジ袋１は、主としてレジ袋本体２と、このレジ袋本体２の表側面２３に付設されるポケット部３と、表示片４とから構成される。
【００１６】
そして、前記レジ袋本体２はスーパーマーケットなどで配布されている従来周知のものと同様なものであって、上方を開口した収容部２１の前記開口の左右両端に手提げ部２２，２２を上方へ向けてそれぞれ延設して例えばポリエチレンのような合成樹脂シートにより形成される。
【００１７】
また、前記レジ袋本体２における収容部２１の表側面２３に付設されるポケット部３は、例えば前記レジ袋本体２と同様なポリエチレンのような互いにヒートシールによる固着が可能な素材により形成された透明または半透明のシート材によりポケット部３に収納可能な大きさの矩形状に形成され、その一辺３１を前記レジ袋本体２における底辺の縁部２４に沿って配置されるとともに、残りの３辺をヒートシールにより溶着させてポケット状とし、前記一辺３１の部分をポケット口３２としている。
【００１８】
尚、本実施の形態ではレジ袋本体２の横幅Ｌ１がポケット部３の横幅Ｌ３のほぼ２倍、縦幅がポケット部３の縦幅の約５倍の長さに形成された最も多く使用されるサイズであるが、ポケット部３の大きさはほぼ一定であるがレジ袋本体２の大きさはこれに限るものでなく各種の大きさのものについて実施することができるものである。
【００１９】
図５は本実施の形態において前記図１に示した展開した状態のレジ袋本体２を折り畳んでポケット部３に収容して前記図３に示したポケットサイズに形成する際の行程の一例を示すものであり、まず、図５（Ａ）に示すようにレジ袋本体２を裏返して裏側面２４を向けて、ポケット部３の一方の縦辺に沿う折曲線ａに沿って内側に折り曲げ、次いで、図５（Ｂ）に示すようポケット部３のもう一方の縦辺に沿う折曲線ｂに沿って内側に折り曲げ、図５（Ｃ）に示すようにレジ袋本体２の横幅Ｌ５をポケット部３の横幅Ｌ３に合わせて折り畳み、次いで、図５（Ｄ）に示すように手提げ部２２，２２側からポケット部３方向へとポケット部３の縦幅Ｌ３に等しい間隔の折曲線ｃ，ｄに沿って順次、巻回して折り畳んで図５（Ｅ）の状態にし、次いで、図５（Ｆ）に示すように、巻上端２５をポケット部３に沿う折曲線２６に沿って内側へ向けて折り曲げて表側へ向けたポケット部３内にポケット口３２から差し込み図５（Ｇ）に示すように全体がポケット部３と同等の大きさに折り畳まれたポケット型のレジ袋１が形成され、その後、例えば所望の宣伝広告などを表示した例えば紙製の表示片４をポケット口３２からポケット部３に差し込み製品とする。
【００２０】
尚、本行程により作成されるポケット型のレジ袋２は所定の位置で確実に折り畳むことにより外観が美麗で嵩張ることもないが、本実施の形態は本発明の一例であってこれに限るものでなく、基本的にはレジ袋本体２を折り畳んだり、巻回して全体をポケット部３と同等の大きさにしてポケット口３２からポケット部３内に差し込めば良い。
【００２１】
また、図６は本発明の異なる実施例を示したものであり、ポケット部３がレジ袋本体２の一方の縦辺２７に沿って形成されている点が異なるものであり、本実施の形態について示したように本発明では、レジ袋本体２の外周面に一辺をレジ袋本体２の外周端縁に沿わせて且つその一辺と前記レジ袋本体２との間にポケット口３２を形成して固着される透明樹脂シートにより形成されるポケット部３が形成されればよく、ポケット部３の取付位置は問わない。
【００２２】
更に、図７は本発明において使用される表示片４についての実施の形態の一例を示すものであり、図７（Ａ）に示すように、裏面４１に例えば等間隔に表示された折曲線４１ａ，４１ｂ，４１ｃにより区分けされた４つの帯部４２ａ，４２ｂ，４２ｃ，４２ｄに例えば分別ゴミの種類を表示した「可燃物」、「不燃物」、「空き缶」、「ペットボトル」などの表示がなされており、本携帯型レジ袋をゴミ袋として使用するときに収容するゴミの種類に合わせて図７（Ｂ）および（Ｃ）に示すように、例えば「空き缶」と表示してある帯部４２ｃだけが表示されるように折り畳み、前記図１に示したポケット部３に収容することによりゴミの分別袋として便利に使用することができる。尚、レジ袋本体２に形成された表示片４を収容するポケット部３はポケット口３２が下向きに開口しているが、前記表示片４は前述のように１つの帯体が露出するように折り畳まれることにより厚みが増すことになり、ポケット部３に圧接するのでポケット口３２から抜け落ちる心配がない。
【００２３】
更にまた、図８は本発明の更に異なる実施の形態を示すものであり、全体の構成は前記実施の形態と同様であるが、前記レジ袋本体２における前記ポケット部３における固着側の横辺３３に沿って少なくとも前記ポケット部３の大きさの面積部分２５に所望の印刷がなされている場合或いはシールが貼着されている場合（図示せず）には、例えば前記図５に示したようにしてレジ袋本体２を折り畳んでポケット部３に収納したとき、表面であるポケット部３とともに外面を形成する裏面に前記印刷面が配置されるので、印刷面を宣伝広告や各種の告知文書や図柄などを配置することにより、宣伝効果が高まり、或いは意匠的に優れたものを提供することができる。
【図面の簡単な説明】
【００２４】
【図１】本発明における実施の形態を示す展開した状態の斜視図。
【図２】図１に示した実施の形態における腰部についての拡大部分平面図。
【図３】図１に示した実施の形態のポケットサイズに折り畳んだ状態の斜視図。
【図４】図３のＩＶ−ＩＶ線に沿う拡大断面図。
【図５】図１に示した実施の形態の展開した状態からポケットサイズに折り畳んだ状態にするための工程を示す説明図。
【図６】異なる実施の形態を示す斜視図。
【図７】本発明に用いられる表示片を示すものであり（Ａ)は拡大平面図、（Ｂ）は折り畳んだ状態を示す拡大平面図、（Ｃ）は（Ｂ）のＶＩＩ−ＶＩＩ線に沿う拡大断面図。
【図８】本発明の更に異なる実施の形態を示す斜視図。
【符号の説明】
【００２５】
１  ポケット型レジ袋、２  レジ袋本体、３  ポケット部、４  表示片、２１  収容部、２２，２２  手提げ部、２４  外周端縁、３２  ポケット口
【図１】
2009214908.tif 000003
【図２】
2009214908.tif 000004
【図３】
2009214908.tif 000005
【図４】
2009214908.tif 000006
【図５】
2009214908.tif 000007
【図６】
2009214908.tif 000008
【図７】
2009214908.tif 000009
【図８】
2009214908.tif 000010